(57)【要約】      （修正有）【課題】吊設扉をレールから外れることなくスムーズにスライドさせることのできる吊設扉用スライド装置及びこれを用いた折り畳み式吊設扉を提供する。【解決手段】壁に設けられた開口部に吊り下げられた扉体１１を開口部の左右方向にスライドさせて扉体１１の開閉を可能とする吊設扉用スライド装置１であって、開口部の上縁に沿って平行に配置される複数本の円柱状レール２と、円柱状レール２を挿通する複数の挿通孔が形成されているとともに各挿通孔内に円柱状レール２に沿ってスライドを可能とするスライド部３２が設けられており、かつ扉体１１を吊設する吊設部３３が設けられてなるスライド型吊設体３とを有している。【選択図】図１
0003184941.tif 000002
【実用新案登録請求の範囲】
【請求項１】
壁に設けられた開口部に吊り下げられた扉体を前記開口部の左右方向にスライドさせて前記扉体の開閉を可能とする吊設扉用スライド装置であって、
前記開口部の上縁に沿って平行に配置される複数本の円柱状レールと、
前記円柱状レールを挿通する複数の挿通孔が形成されているとともに前記各挿通孔内に前記円柱状レールに沿ってスライドを可能とするスライド部が設けられており、かつ前記扉体を吊設する吊設部が設けられてなるスライド型吊設体と
を有している、前記吊設扉用スライド装置。
【請求項２】
請求項１に記載の吊設扉用スライド装置に扉体を吊設させて構成される折り畳み式吊設扉であって、前記扉体は複数枚の扉パネル群で構成されているとともに隣設する前記各扉パネル同士が互いにその側端部において折曲ヒンジにより折り曲げ可能に連結されており、前記扉パネル群のうち最側端にある一方の前記扉パネルがその外側端部において開口部に設けられた回転軸部材によって揺動自在に支持されているとともに、他の前記扉パネルがその上端部において前記吊設扉用スライド装置の吊設部によって回転可能に吊設されている、前記折り畳み式吊設扉。
【考案の詳細な説明】
【技術分野】
【０００１】
本考案は、室内の出入り口や部屋の間仕切り部分、収納扉口等、壁に設けられた開口部に吊り下げられた扉体を左右方向にスライドさせる吊設扉用スライド装置およびこれを用いた折り畳み式吊設扉に関するものである。
【背景技術】
【０００２】
従来、出入り口等の開口部の上縁に沿って設けられたレールに扉体を吊り下げ、前記レールに沿って扉体をスライドさせて開閉する吊設扉が提案されている。この吊設扉は、前記開口部の下縁に敷居を設ける必要がないため、隣接する部屋の床面を連続的に構成することができ、吊設扉を開放すると各部屋が一体的な広い空間として利用できるという利点がある。また、敷居の段差をなくせるため、高齢者や脚の不自由な人にとっても移動しやすく、車いすによる出入りもしやすいことから、高齢者住宅やバリアフリー住宅等において好適な扉の一つである。そして、そのような吊設扉をスライド可能に支持するためのレール構造に関する考案がいくつか提案されている。
【０００３】
例えば、実開平１−９６９７７号公報では、吊設扉をローラーに吊り下げるとともに前記ローラーをレールに沿って走行させることにより前記吊設扉を開閉させる吊設扉用レール構造であって、前記レールを複数のレール部材で構成し、各レール部材の連結部分を凹部と凸部に形成して互いに嵌合させることにより連結する吊設扉用レール構造に関する考案が提案されている（特許文献１）。この特許文献１によれば、前記吊設扉用レールを用いることにより、前記ローラーはガタ付くことがなく、前記レールに沿って走行することができるとされている。
【先行技術文献】
【特許文献】
【０００４】
【特許文献１】実開平１−９６９７７号公報
【考案の概要】
【考案が解決しようとする課題】
【０００５】
しかしながら、特許文献１に記載された考案においては、ローラーはレールに乗せられているだけであるため、上方向の負荷や扉のスライド方向に対して直角方向に負荷がかかると、レールから外れてしまうという問題がある。特に、複数枚の扉パネルを連結してなる折り畳み式の吊設扉は、扉パネルを後ろ側に押すか手前側に引くことにより開閉されるため、扉のスライド方向に対して直角方向に傾斜し易く、ローラーがレールから外れ易いという問題があった。
【０００６】
本考案は、このような問題点を解決するためになされたものであって、吊設扉をレールから外れることなくスムーズにスライドさせることのできる吊設扉用スライド装置およびこれを用いた折り畳み式吊設扉を提供することを目的としている。
【課題を解決するための手段】
【０００７】
本考案に係る吊設扉用スライド装置は、壁に設けられた開口部に吊り下げられた扉体を前記開口部の左右方向にスライドさせて前記扉体の開閉を可能とする吊設扉用スライド装置であって、前記開口部の上縁に沿って平行に配置される複数本の円柱状レールと、前記円柱状レールを挿通する複数の挿通孔が形成されているとともに前記各挿通孔内に前記円柱状レールに沿ってスライドを可能とするスライド部が設けられており、かつ前記扉体を吊設する吊設部が設けられてなるスライド型吊設体とを有している。
【０００８】
また、本考案に係る折り畳み式吊設扉は、前記吊設扉用スライド装置に扉体を吊設させて構成される折り畳み式吊設扉であって、前記扉体は複数枚の扉パネル群で構成されているとともに隣設する前記各扉パネル同士が互いにその側端部において折曲ヒンジにより折り曲げ可能に連結されており、前記扉パネル群のうち最側端にある一方の前記扉パネルがその外側端部において開口部に設けられた回転軸部材によって揺動自在に支持されているとともに、他の前記扉パネルがその上端部において前記吊設扉用スライド装置の吊設部によって回転可能に吊設されている。
【考案の効果】
【０００９】
本考案によれば、吊設扉をレールから外れることなくスムーズにスライドさせることができる。
【図面の簡単な説明】
【００１０】
【図１】本考案に係る吊設扉用スライド装置の一実施形態を示す斜視図である。
【図２】本実施形態の折り畳み式吊設扉を示す一部拡大正面図である。
【図３】本実施形態の吊設扉用スライド装置を示す一部拡大断面図である。
【図４】３本の円柱状レールを相互に平行で略水平方向に配置した他の実施形態を示す一部拡大断面図である。
【図５】２本の円柱状レールを相互に平行で略垂直方向に配置した他の実施形態を示す一部拡大断面図である。
【図６】２本の円柱状レールを相互に平行で扉に対して前後に、かつ各々異なる高さに配置した他の実施形態を示す一部拡大断面図である。
【図７】３本の円柱状レールを相互に平行で三角形をなすように配置した他の実施形態を示す一部拡大断面図である。
【図８】本実施形態において、折り畳み式吊設扉が閉じた状態を示す正面状態図である。
【図９】本実施形態において、折り畳み式吊設扉が開いた状態を示す正面状態図である。
【考案を実施するための形態】
【００１１】
以下、本考案に係る吊設扉用スライド装置１およびこれを用いた折り畳み式吊設扉１０の一実施形態について図面を用いて説明する。まず、吊設扉用スライド装置１について説明する。
【００１２】
本実施形態の吊設扉用スライド装置１は、室内への出入り口や隣接する部屋間の間仕切り部、収納扉等、壁に設けられた開口部Ｏに取り付けられる扉体１１をスライド自在に支持するための装置である。図１〜図３に示すように、本実施形態の吊設扉用スライド装置１は、開口部Ｏの上縁に沿って平行に配置されている複数本の円柱状レール２と、この円柱状レール２に沿ってスライドするスライド型吊設体３とを有している。また、扉体１１を閉める際の力を補助する補助部４および前記円柱状レール２等をユニット化して前記開口部の上縁に固定する筐体５を備えている。以下、各構成について詳細に説明する。
【００１３】
円柱状レール２は、扉体１１を支えうる強度を備えた材料からなる長尺状の棒材であって、本実施形態では、ステンレス製の棒材を用いている。
【００１４】
また、本実施形態では、図１〜図３に示すように、平行に配置された２本の円柱状レール２，２が用いられている。本考案は、このように平行に配置された複数本の円柱状レール２を用いることにより、円柱状レール２が１本である場合にスライド方向と直交する方向に生じる扉体の揺れ等を防止している。
【００１５】
この２本の円柱状レール２，２は、筐体５内に設けられたレール支持部５１によって、開口部Ｏの上縁に沿って所定の間隔を隔てて略水平方向に平行に並ぶ配置で固定されている。各々の円柱状レール２，２は、平行に配置することで前記円柱状レール２，２同士の間隔を常に一定にするようにしている。
【００１６】
なお、円柱状レール２の本数は、２本に限定されるものではなく、図４に示すように、３本以上であってもよい。また、円柱状レール２の配置方法は、水平方向の配置に限定されるものではなく、図５に示すように、上下垂直方向に配置したり、図６に示すように、斜め方向に配置してもよい。さらに、それぞれの円柱状レール２が相互に平行となれば、図７に示すように、三角形の配置関係にしてもよい。
【００１７】
また、複数本の円柱状レール２は、筐体５のレール支持部５１に固定せずに、開口部Ｏに直接的に固定するようにしてもよい。
【００１８】
次に、スライド型吊設体３について説明する。スライド型吊設体３は、スライド本体３１と、複数本の円柱状レール２に沿ってスライド可能にするスライド部３２と、扉体１１を吊設する吊設部３３とから構成されている。
【００１９】
スライド本体３１は、ブロック状の部材であり、複数本の円柱状レール２を挿通するために同数の挿通孔３４が形成されている。本実施形態では、図１および図３に示すように、２つの挿通孔３４，３４が、円柱状レール２，２同士の間隔と同じ間隔を隔てて略水平方向に平行に並べて形成されている。
【００２０】
スライド部３２は、挿通孔３４の内周面に設けられており、円柱状レール２との摩擦を低減して摺動可能にさせるためのものである。つまり、スライド部３２を設けることにより、スライド型吊設体３が円柱状レール２に沿ってスムーズに往復動可能にされている。本実施形態では、図１および図３に示すように、ボールベアリングが用いられている。
【００２１】
なお、スライド部３２は、ボールベアリングに限定されるものではなく、挿通孔３４の内周面や円柱状レール２の外周面にシリコン樹脂等の摩擦抵抗の少ない材料を用いて、円柱状レール２との摩擦を低減するようにしてもよい。
【００２２】
吊設部３３は、扉体１１を吊設するものであり、本実施形態では、扉体１１の上端部と連結する連結ボルト３５で構成されている。この連結ボルト３５は、図１〜図３に示すように、スライド本体３１に設けられた貫通孔（図示しない）に挿通させて設けられている。また、挿通された連結ボルト３５の先端側にはナット３６が設けられており、このナット３６と前記連結ボルト３５の頭部３７とによりスライド本体を挟み込むようになっている。さらに、連結ボルト３５の頭部３７とスライド本体３１との間、および、ナット３６とスライド本体３１との間にはワッシャー３８が設けられており、連結ボルト３５はスライド本体３１に対して回転自在に支持されている。
【００２３】
また、連結ボルト３５の先端には、後述する折り畳み式吊設扉１０の扉パネル１２が連結されている。なお、扉パネル１２との連結方法は、連結ボルト３５によるものに限定されるものではなく、例えば、溶接等により固定するようにしてもよい。
【００２４】
補助部４は、扉体１１を閉める際にスライド型吊設体３へ力を補助的に付与するものである。この補助部４は、従来の吊設扉において用いられているものであり、図２、図８および図９に示すように、スライド型吊設体３を引っ張る駆動部４１と、扉が閉じる際の速度を抑制する抑制部４２とを有している。
【００２５】
駆動部４１は、発条（ゼンマイ）が内蔵されており、その発条を引っ張ることで、縮もうとする力が生じるものである。本実施形態では、図２、図８および図９に示すように、筐体５内において扉体１１が閉鎖される側に設けられている。なお、駆動部４１は発条によるものに限定されるものではなく、電気モーター等の駆動装置を用いてもよい。
【００２６】
抑制部４２は、怪我防止等のために扉体１１が閉じる際の速度を抑制するためのものであり、ロータリーダンパー４３と、このロータリーバンパー４３のロータリーを回転させるラック（直線歯車）４４とからなる。本実施形態におけるロータリーダンパー４３は、一方向の回転に対して負荷を与え、逆方向の回転に対しては負荷を与えないようになっており、回転する回転軸４５にはギアが設けられている。
【００２７】
また、ラック４４は、ロータリーダンパー４３の回転軸４５に設けられたギアと噛み合うことで前記回転軸４５を回転させるものである。本実施形態では、筐体４内の天部に所定の長さで構成されている。
【００２８】
よって、抑制部４２は、ロータリーダンパー４３がスライド型吊設体３とともにスライドして回転軸４５のギアがラック４４と噛み合うことで回転軸４５に負荷を与え、それによって扉体１１の閉まる速さを抑制するようになっている。
【００２９】
筐体５は、円柱状レール２、スライド型吊設体３および補助部４を固定し、吊設扉用スライド装置１をユニット化するためのものである。本実施形態では、アルミの押し出し成型により形成されており、内部はスライド型吊設体３がスライドできる空間が形成されている。また、その下面は、スライド部３２や吊設される扉体１１が自在にスライドできるように長手方向に沿って開放されている。
【００３０】
この筐体５は、図２、図３、図８および図９に示すように、開口部Ｏの上縁に固定されている。また、筐体５の前後には化粧板５２が設けられ、開口部Ｏに設置されたときにはその内部を隠すとともに、ホコリ等が侵入しないようになっている。また、化粧板５２は、点検パネルとしても機能する。つまりは、前記化粧板５２は、取り外し可能になっており、取り外して吊設扉用スライド装置１の点検や修理等を行うことができるようになっている。
【００３１】
次に、本実施形態に係る吊設扉用スライド装置１を用いた折り畳み式吊設扉１０の構成について説明する。
【００３２】
本実施形態の折り畳み式吊設扉１０は、図２、図８および図９に示すように、上述した吊設扉用スライド装置１と、折り曲げ可能な扉体１１とから構成されている。
【００３３】
扉体１１は、複数枚の扉パネル１２を連結されてなる扉パネル群１３で構成されている。これら扉パネル群１３のうち隣設する前記各扉パネル１２同士は、互いにその側端部において折曲ヒンジ１４により連結されており、扉パネル１２に対して前後方向（スライド方向に対して直角方向）に折り曲げて畳めるように構成されている。
【００３４】
扉パネル１２は、略縦長矩形状に形成されて板材であり、木、合成樹脂、アルミ、鉄等から適宜選択されて形成される。本実施形態では、図２、図８および図９に示すように、２枚の扉パネル１２ａ，１２ｂで構成されている。また、本実施形態における折曲ヒンジ１４は、前後いずれの方向にも折り曲げられるようになっており、扉パネル１２を押しても、引いても開閉できるようになっている。
【００３５】
また、扉パネル群１３は、以下のようにして開口部Ｏに設けられている。
【００３６】
まず、扉パネル群１３のうち最側端にある一方の扉パネルがその外側端部において開口部Ｏに設けられた回転軸部材６によって前後方向に揺動自在に支持されている。本実施形態では、図２、図８および図９に示すように、回転軸部材６が開口部Ｏの左側端部に設けられており、扉パネル群１３の左側の扉パネル１２ａが前記回転軸部材６により支持されている。
【００３７】
また、扉パネル群１３のうち、ぼ他の扉パネル１２ｂは、その上端部において吊設扉用スライド装置１の吊設部３３によって回転可能に支持されている。本実施形態では、右側の扉パネル１３ｂの上端部に対し、一台の吊設部３３が連結されている。また、図８に示すように、開口部Ｏの左側端部に設けられた回転軸部材６から折曲ヒンジ１４までの距離Ｌ１と、その折曲ヒンジ１４から右側の扉パネル１２ｂに連結される吊設部３３までの距離Ｌ２とがほぼ等しくなるように支持することで、図９に示すように、前記扉パネル１２ａ，１２ｂ同士を重なるように折りたたむことができるようにしている。
【００３８】
また、本実施形態の右側の扉パネル１２ｂには、吊設部３３よりも右側の位置に取っ手１５が設けられている。つまり、この取っ手１５を押したり引いたりすることで、右側の扉パネル１２ｂが吊設部３３を中心に回動されるようになっている。
【００３９】
なお、本実施形態では、他の扉パネル１２が１枚の場合について説明したが、他の扉パネル１２が２枚以上ある場合は、それぞれの扉パネル１２に吊設部３３が取り付けられる。よって、他の扉パネル１２が複数ある場合の吊設扉用スライド装置１は、他の扉パネル１２の枚数に応じたスライド型吊設体３を備えることになる。
【００４０】
また、本実施形態では、扉体１１が開いた状態を保持するストッパー１６を備えている。ストッパー１６は、図１および図２に示すように、いわゆるボールキャッチからなり、スライド本体３１にオス部が設けられているとともに、筐体５にメス部が設けられている。なお、ストッパー１６は、ボールキャッチによるものに限定されるものではなく、例えば、かんぬきや磁石等であってもよい。
【００４１】
次に、本実施形態の吊設扉用スライド装置１およびこれを用いた折り畳み式吊設扉１０における各構成の作用について説明する。
【００４２】
図８に示すように、扉体１１が閉じた状態から、図９に示すように、開いた状態にする場合について説明する。扉体１１を開けるときは、右側の扉パネル１２ｂの取っ手１５を手前側に引いたり、後ろ側に押したりすることで開き始める。図９は、右側の扉パネルを１２ｂ後ろ側に押して、扉体１１を開けた状態である。
【００４３】
このとき、右側の扉パネル１２ｂは、吊設部３３を中心に回転する。この回転により、右側の扉パネル１２ｂの左端部は手前側に揺動され、折り畳まれる。また、右側の扉パネル１２ｂの左端部と折曲ヒンジ１４を介して連結されている左側の扉パネル１２ａは、回転軸部材６を中心に手前側に揺動され、折り畳まれる。
【００４４】
また、右側の扉パネル１２ｂに連結されているスライド型吊設体３は、各扉パネル１２ａ，１２ｂが折り畳まれることにより、左側へとスライドする。
【００４５】
このとき、挿通孔３４の内周面に設けられたスライド部３２により、前記円柱状レール２との摩擦を低減させているため、軽い力を右側の取っ手１５に加えるだけで容易にスライドさせられる。また、２本の円柱状レール２，２が相互に平行であり、円柱状レール２，２同士の間隔が一定であるため、スライド部３２と同じ間隔が保たれ、スライド型吊設体３は円柱状レール２の端から端までスムーズにスライドできる。
【００４６】
また、スライド部３２が、前記円柱状レール２の周囲を取り囲むようになっているので、扉パネル１２を押したり引いたりしても、扉体１１が傾いたり、前記円柱状レール２から外れるようなことがない。また、各スライド部３２，３２が２本の円柱状レール２，２を挿通させているため、前後方向に押しても、扉体１１が前記円柱状レール２を中心に回転することもない。
【００４７】
補助部４の駆動部４１は、スライド型吊設体３がスライドされることにより、発条が引っ張られ、力を蓄えた状態になる。一方、抑制部４２は、負荷を与えないため、開ける際の妨げにはならない。
【００４８】
次に、図９に示すように、扉体１１が開いた状態から、図８に示すように、閉じた状態にする場合について説明する。本実施形態では、押していた取っ手１５から手を放したり、開いた状態を保つストッパー１６を解除すことによって、駆動部４１の発条がスライド型吊設体３を引っ張る。
【００４９】
引っ張られたスライド型吊設体３に連結されている右側の扉パネル１２ｂは、吊設部３３を中心に回転しながら右側に移動する。扉体１１が閉じる場合においても、スライド部３２によって円柱状レール２との摩擦が低減され、スライド型吊設体３が円柱状レール２に沿って容易にスライドすることができる。そのため、駆動部４１の力だけで完全に閉じることができる。
【００５０】
また、本実施形態では、扉体１１が途中まで閉じたとき、抑制部４２により扉体１１の閉まる速度が減速される。具体的には、ロータリーダンパー４３の回転軸４５に設けられたギアがラック４４とかみ合い回転する。このとき、ロータリーダンパー４３は、その回転軸４５に負荷を与え、その負荷がスライド型吊設体３に伝わり、扉体１１の閉まる速度を減速している。よって、扉体１１は減速されゆっくりと、静かに閉まるため、扉体１１に挟まれる等の心配が無く、挟まれた場合であっても、速度が遅いため怪我をしない。
【００５１】
以上のような本実施形態の吊設扉用スライド装置１およびこれを用いた折り畳み式吊設扉１０によれば、以下の効果を得ることができる。
１．扉体１１に前後方向や上下方向の力を加えたとしても、その扉体１１が傾いたり外れたりすることがない。
２．軽い力で開閉を行うことができるため、高齢者や脚の不自由な人や車いすの人でも容易に開閉することができる。
３．前後どちらに押しても開けることができる。
４．扉体１１を開けた状態から自動的に閉じることができるため、閉め忘れ等を防ぐことができる。
５．閉まる直前にはゆっくりと閉まるため体を挟んだりすることがなく、仮に挟んだとしても怪我をすることがない。
【００５２】
なお、本考案に係る吊設扉用スライド装置１およびこれを用いた折り畳み式吊設扉１０は、前述した本実施形態に限定されるものではなく、適宜変更することができる。
【００５３】
例えば、吊設扉用スライド装置１は、折り畳み式吊設扉１０に用いられるものに限定されるものではなく、引き戸等に用いてもよい。
【符号の説明】
【００５４】
１  吊設扉用スライド装置
２  円柱状レール
３  スライド型吊設体
４  補助部
５  筐体
６  回転軸部材
１０  折り畳み式吊設扉
１１  扉体
１２  扉パネル
１３  扉パネル群
１４  折曲ヒンジ
１５  取っ手
１６  ストッパー（ボールキャッチ）
３１  スライド本体
３２  スライド部
３３  吊設部
３４  挿通孔
３５  連結ボルト
３６  ナット
３７  頭部
３８  ワッシャー
４１  駆動部
４２  抑制部
４３  ロータリーダンパー
４４  ラック
４５  回転軸
５１  レール支持部
５２  化粧板（点検パネル）
Ｏ  開口部
【図１】
0003184941.tif 000003
【図２】
0003184941.tif 000004
【図３】
0003184941.tif 000005
【図４】
0003184941.tif 000006
【図５】
0003184941.tif 000007
【図６】
0003184941.tif 000008
【図７】
0003184941.tif 000009
【図８】
0003184941.tif 000010
【図９】
0003184941.tif 000011